(57)【要約】      （修正有）【課題】安全性を確保しつつ、広範囲で発生した粉塵を効率よく捕捉できる、噴霧装置を提供する。【解決手段】粉塵装置１０は、噴霧対象物へ向けて霧を渦状に噴霧するものであり、一つの回転軸を中心として同一円上を回転する複数の噴霧ノズル３８と、噴霧ノズル３８へ加圧空気と加圧水との混合体を供給する気液供給部１６と、噴霧ノズル３８を所定回転数で回転させる回転駆動部１８とを備えている。回転駆動部１８によって複数の噴霧ノズル３８を同一円上で回転させると、各噴霧ノズル３８から噴霧された霧が混ざり合う領域において渦流が発生する。したがって、この渦流領域Ｓでは、粉塵が霧に巻き込まれて効率よく捕捉される。【選択図】図１
2007117951.tif 000002
【特許請求の範囲】
【請求項１】
噴霧対象物へ向けて霧を渦状に噴霧する噴霧装置であって、
一つの回転軸を中心として同一円上を回転する複数の噴霧ノズルを備える、噴霧装置。
【請求項２】
前記複数の噴霧ノズルの前記回転軸に対する傾斜角および噴霧角は、噴霧された霧が前記回転軸を中心とする領域において互いに混ざり合うように設定されている、請求項１記載の噴霧装置。
【請求項３】
前後両端部が開放された円筒状の外側ケーシングと、前記外側ケーシングの後端部に挿入され、前記外側ケーシングとの間に環状の空気流路を構成する円筒状の内側ケーシングとを備え、前記外側ケーシングの軸に前記回転軸が一致するようにして前記外側ケーシングの前端部に前記複数の噴霧ノズルが前方へ向けて収容されている、請求項１または２記載の噴霧装置。
【発明の詳細な説明】
【技術分野】
【０００１】
本発明は、建造物の解体現場で発生する粉塵等の飛散を抑えるために、または、道路等で発生する霧を抑えるために、粉塵または霧等の噴霧対象物へ向けて霧を渦状（トルネード状）に噴霧する、噴霧装置に関する。
【背景技術】
【０００２】
鉄筋コンクリート建造物の解体現場では、解体作業に伴って大量の粉塵が発生するが、この粉塵が風に乗って飛散すると、周辺環境を汚染したり、近隣住民の健康を害したりするおそれがある。このような粉塵の飛散を抑えるために、散水ホースを持った作業員を現場に配備して散水作業に当たらせることも考えられるが、この場合には、作業員の安全を確保することが困難であり、事故の危険性がある。
【０００３】
そこで、従来では、解体作業に用いられるバックホー等の重機に噴霧ノズルまたは散水ノズルを取り付け、これらを運転席から遠隔操作することによって粉塵発生箇所へ噴霧または散水するようにしていた（特許文献１、２参照）。
【特許文献１】実開平７−００６４０６号公報
【特許文献２】特開平９−１２５７０９号公報
【発明の開示】
【発明が解決しようとする課題】
【０００４】
特許文献１または２に記載された従来技術では、重機に取り付けられた噴霧装置または散水装置から安全に噴霧または散水することができるものの、粉塵の捕捉効率は十分ではなかった。つまり、噴霧装置または散水装置を用いて霧または水を遠くまで飛ばすには、噴霧圧または散水圧を高くする必要があるが、噴霧圧または散水圧を高くすると、霧または水によって粉塵が押し退けられてしまうため、粉塵を効率よく捕捉することができなくなる。一方、噴霧装置または散水装置と粉塵発生箇所との距離を短く設定して噴霧圧または散水圧を低くすると、広範囲で発生した粉塵を捕捉するのが困難になる。
【０００５】
それゆえに、この発明の主たる課題は、安全性を確保しつつ、広範囲で発生した粉塵を効率よく捕捉できる、噴霧装置を提供することである。
【課題を解決するための手段】
【０００６】
請求項１に記載した発明は、「噴霧対象物へ向けて霧を渦状に噴霧する噴霧装置１０であって、一つの回転軸を中心として同一円上を回転する複数の噴霧ノズル３８を備える、噴霧装置１０」である。
【０００７】
モータ等によって複数の噴霧ノズル３８を同一円上で回転させると、各噴霧ノズル３８から噴霧された霧が混ざり合う領域Ｓにおいて渦流（トルネード）が発生する。したがって、この渦流領域Ｓでは、粉塵が霧中に巻き込まれることとなり、粉塵の捕捉効率が飛躍的に向上する。
【０００８】
請求項２に記載した発明は、請求項１に記載した「噴霧装置１０」において、「前記複数の噴霧ノズル３８の前記回転軸に対する傾斜角α（図７）および噴霧角β（図４）は、噴霧された霧が前記回転軸を中心とする領域Ｓにおいて互いに混ざり合うように設定されている」ことを特徴とする。
【０００９】
この発明は、複数の噴霧ノズル３８の回転軸に対する傾斜角α（図７）または噴霧角β（図４）を適切に設定することによって、各噴霧ノズル３８から噴霧された霧が混ざり合うようにしたものである。
【００１０】
請求項３に記載した発明は、請求項１または２に記載した「噴霧装置１０」において、「前後両端部が開放された円筒状の外側ケーシング２０と、前記外側ケーシング２０の後端部に挿入され、前記外側ケーシング２０との間に環状の空気流路７４を構成する円筒状の内側ケーシング２２とを備え、前記外側ケーシング２０の軸に前記回転軸が一致するようにして前記外側ケーシング２０の前端部に前記複数の噴霧ノズル３８が前方へ向けて収容されている」ことを特徴とする。
【００１１】
この発明では、外側ケーシング２０と内側ケーシング２２との間に空気流路７４が構成されており、この空気流路７４から外側ケーシング２０の内部に空気が取り込まれる。外側ケーシング２０の前端部では、複数の噴霧ノズル３８から噴霧されることによって負圧が生じるので、空気流路７４から外側ケーシング２０の内部に取り込まれた空気は、負圧に引かれて外側ケーシング２０の前端部から前方へ排出されることとなり、噴霧ノズル３８から噴霧された霧は、この空気によって整流されることになる。
【００１２】
なお、この発明の説明で用いる「前」の語は、噴霧ノズル３８が向けられる方向、すなわち噴霧対象物がある方向を意味し、「後」の語は、その逆の方向を意味するものとする。
【発明の効果】
【００１３】
請求項１〜３に記載した発明によれば、噴霧対象物へ向けて霧を渦状に噴霧することができるので、粉塵等を巻き込みながら効率よく捕捉できる。したがって、噴霧装置と粉塵等の発生箇所との距離を長く設定した場合でも、粉塵等の捕捉効率の低下を招くことはなく、広範囲で発生した粉塵等を効率よく捕捉できる。
【００１４】
請求項３に記載した発明によれば、空気流路から外側ケーシングの内部に取り込まれた空気によって噴霧ノズルから噴霧された霧を整流することができるので、霧が不所望に拡散されるのを防止できる。
【発明を実施するための最良の形態】
【００１５】
図１は、本発明が適用された噴霧装置１０を示す断面図であり、図２は、噴霧装置１０を示す側面図である。この噴霧装置１０は、図３に示すように、建造物の解体現場で発生する粉塵等の飛散を抑えるために、解体専用機またはバックホー等の重機１２に取り付けて用いられるものである。
【００１６】
噴霧装置１０は、図１および図２に示すように、噴霧部１４と、気液供給部１６と、回転駆動部１８と、外側ケーシング２０と、内側ケーシング２２とを備えている。
【００１７】
噴霧部１４は、粉塵等の噴霧対象物に対して霧を渦状に噴射する部分であり、回転ブロック２４と、複数のノズル部２６とによって構成されている。
【００１８】
回転ブロック２４は、回転駆動部１８によって回転される略円柱状のブロック体であり、回転ブロック２４の軸方向後端面には、気液供給部１６と接続される入口２８が形成されており、回転ブロック２４の軸方向前端部外周面には、ノズル部２６が接続される複数（この実施例では４つ）の出口３０が放射状に延びて形成されている。また、回転ブロック２４の前端面には、碗型の整流部材３２が配設されており、回転ブロック２４の内部には、入口２８と各出口３０とを連通する連通路３３が形成されている。そして、連通路３３の内部には、回転軸管３４の前端部が入口２８から挿入されて固定されており、さらに、連通路３３の内部における回転軸管３４の前方には、液体を微粒化するワーラー３５が配設されている。
【００１９】
各ノズル部２６は、空気と水との混合体を通す管状のアーム３６と、アーム３６の前端部に取り付けられた噴霧ノズル３８とによって構成されている。アーム３６は、回転軸に直交する方向へ延びる径方向アーム部３６ａと、回転軸に対して略平行に延びる軸方向アーム部３６ｂとによって略Ｌ状に構成された管状部材であり、径方向アーム部３６ａの端部が回転ブロック２４の出口３０に接続されており、軸方向アーム部３６ｂの端部に噴霧ノズル３８が接続されている。したがって、回転ブロック２４が回転されると、複数の噴霧ノズル３８が一つの回転軸を中心として同一円上を回転することになる。
【００２０】
噴霧ノズル３８の回転軸に対する傾斜角α（図７）および噴霧角β（図４）は、各噴霧ノズル３８から噴霧された霧が回転軸を中心とする領域Ｓ（図４）において互いに混ざり合うように設定されており、発明者等の実験によれば、傾斜角αが０〜６０度程度（図１実施例では０度）であり、かつ、噴霧角βが１５〜２０度程度（図４）のときに、良好に混ざり合うことが分かった。
【００２１】
気液供給部１６は、気液混合ブロック４０と、加圧水供給管４２と、２本の加圧空気供給管４４とによって構成されている。
【００２２】
気液混合ブロック４０は、略円筒状の本体部４６を有しており、本体部４６の内部には、加圧空気と加圧水とを混合する気液混合室４８が形成されている。また、本体部４６の後端面には、気液混合室４８に連通する水供給口５０が形成されており、本体部４６の後端部外周面には、気液混合室４８に連通する複数（この実施例では２つ）の空気供給口５２が形成されており、水供給口５０には、オリフィス５４が形成されている。さらに、本体部４６の内部であって気液混合室４８の前方には、ボールベアリング５６が配設されており、このボールベアリング５６によって回転ブロック２４に固定された回転軸管３４の後端部が回転自在に支持されている。
【００２３】
そして、気液混合ブロック４０の水供給口５０に加圧水供給管４２の前端部が接続されており、加圧水供給管４２の後端部に管継ぎ手５８を介して高圧給水ホース６０が接続されている。また、気液混合ブロック４０の各空気供給口５２に加圧空気供給管４４の前端部が接続されており、加圧空気供給管４４の後端部に管継ぎ手６２を介して高圧給気ホース６４が接続されている。
【００２４】
回転駆動部１８は、複数の噴霧ノズル３８（噴霧部１４）を所定回転数で回転させるものであり、噴霧部１４を構成する回転ブロック２４の外周面に設けられたギヤ６６と、ギヤ６６と噛み合ったウォームギア６８と、ウォームギア６８に回転力を付与するモータ７０とによって構成されており、モータ７０の回転数がウォームギア６８で減速される。なお、モータ７０の回転数を減速させる手段としては、ウォームギア６８に代えて、複数のギアによって構成された変速機を用いてもよい。発明者等の実験によれば、ギア６６の回転数、すなわち噴霧部１４の回転数が１０〜１５ｒｐｍ（回転／分）のときに、安定した渦流が発生することが分かった。
【００２５】
そして、噴霧部１４、気液供給部１６および回転駆動部１８が、外側ケーシング２０と内側ケーシング２２とによって構成された保護ケーシング７２の内部に収容されている。
【００２６】
外側ケーシング２０は、前後両端部が開放された円筒状の部材であり、外側ケーシング２０の口径は、複数の噴霧ノズル３８が描く回転円直径よりもやや大きく設定されており、外側ケーシング２０の後端部は、空気を効率よく取り込むために、ラッパ状に拡径されている。また、外側ケーシング２０の長さは、少なくとも噴霧部１４を収容できる程度に設定されている。そして、外側ケーシング２０の軸に複数の噴霧ノズル３８の回転軸が一致するようにして、外側ケーシング２０の前端部に複数の噴霧ノズル３８が前方へ向けて収容されている。
【００２７】
内側ケーシング２２は、外側ケーシング２０の後端部に挿入される円筒状の部材であり、内側ケーシング２２の口径は、外側ケーシング２０との間に環状の空気流路７４を構成し得るように外側ケーシング２０の口径よりも小さく設定されており、内側ケーシング２２の長さは、少なくとも気液供給部１６を収容できる程度に設定されている。また、内側ケーシング２２の前端部には、後端部から流入した空気を遮断するための遮蔽板７６が設けられており、内側ケーシング２２の内側に回転駆動部１８のモータ７０が配設されている。そして、外側ケーシング２０と内側ケーシング２２とが、空気流路７４に放射状に配設された複数のスペーサ７８（図２）によって互いに接合されている。
【００２８】
このような噴霧装置１０は、図３に示すように、モータによって角度変更自在に回動される台座８０を介して重機１２の所定位置に取り付けられ、噴霧装置１０および台座８０を遠隔操作する操作装置（図示省略）が重機１２の運転席に配設される。また、重機１２の所定位置には、粉塵発生箇所の粉塵濃度を測定する粉塵センサー８２が取り付けられ、粉塵センサー８２からの出力信号に基づいて噴霧装置１０が自動起動するように構成される。
【００２９】
噴霧装置１０が操作装置（図示省略）または粉塵センサー８２からの信号に基づいて起動されると、気液供給部１６の気液混合室４８に高圧水（流量：２７．２Ｌ／ｈ）および高圧空気（気圧：０．４６ＭＰａ、流量：３０６Ｌ／ｍｉｎ）が供給され、気液混合室４８において水が微粒化される。つまり、オリフィス５４を通して急膨張した水に高圧空気が高速で混入されることによって、その水が微粒化される。そして、この水と空気との混合体が噴霧部１４に与えられ、ワーラー３５によって水がさらに微粒化された後、アーム３６を通して各噴霧ノズル３８から噴霧される。また、回転駆動部１８によって噴霧部１４が所定回転数（１０〜１５ｒｐｍ）で回転される。したがって、各噴霧ノズル３８から噴霧された霧は、図４に示すように、互いに混ざり合う領域Ｓにおいて渦流となって噴霧対象領域へ与えられ、噴霧対象領域の粉塵が渦流に巻き込まれて効率よく捕捉される。
【００３０】
このとき、外側ケーシング２０の前端部では、噴霧ノズル３８から噴霧されることによって負圧が生じるので、空気流路７４から外側ケーシング２０の内部に取り込まれた空気は、負圧に引かれて外側ケーシング２０の前端部から前方へ排出されることとなり、噴霧ノズル３８から噴霧された霧は、この空気によって整流される。したがって、噴霧ノズル３８から噴霧された霧が不所望に拡散されるのを防止でき、渦流を安定して確実に発生させることができる。
【００３１】
なお、上述の実施例では、噴霧部１４において「４つ」のノズル部２６を用いるようにしているが（図２）、ノズル部２６の数は「複数」であればよく、図５に示すように「２つ」でもよいし、図６に示すように「８つ」でもよい。
【００３２】
また、噴霧ノズル３８としては、図７に示すように、角度調整可能なものを用いるようにしてもよい。ただし、この場合には、設定した角度を保持するために、ネジ等のような固定手段（図示省略）で噴霧ノズル３８を固定する必要がある。
【００３３】
また、上述の実施例では、回転駆動部１８の動力源としてモータ７０を用いるようにしているが（図１）、モータ７０に代えて、図８に示すような加圧水または加圧空気を利用した回転機構８４を用いるようにしてもよい。この回転機構８４は、噴霧部１４を構成する回転ブロック２４の外周面に設けられた羽根８６と、羽根８６を覆うケーシング８８と、羽根８６に加圧水または加圧空気を供給する流体供給管９０とによって構成されている。そして、流体供給管９０からケーシング８８の内部に取り込まれた加圧水または加圧空気が羽根８６に所定圧力で吹き付けられ、この圧力で羽根８６が回転されることによって、噴霧部１４が所定回転数（１０〜１５ｒｐｍ）で回転される。
【００３４】
さらに、上述の実施例では、気液供給部１６において加圧空気と加圧水とを混合するようにしているが、加圧水には、必要に応じて、接着剤、除菌剤、防腐剤または消臭剤等の薬剤を予め混入しておくようにしてもよい。
【産業上の利用可能性】
【００３５】
本発明に係る噴霧装置１０は、「建造物の解体現場における粉塵の捕捉」の他、以下の分野で利用可能である。
【００３６】
【表１】
2007117951.tif 000003
【図面の簡単な説明】
【００３７】
【図１】噴霧装置を示す断面図
【図２】噴霧装置を示す側面図
【図３】噴霧装置の使用状態を示す図
【図４】渦流の発生状態を示す図
【図５】ノズル部の数を２つにした状態を示す図
【図６】ノズル部の数を８つにした状態を示す図
【図７】噴霧ノズルの変形例（角度調整可能）を示す図
【図８】回転駆動部の変形例（回転機構）を示す図
【符号の説明】
【００３８】
１０…  噴霧装置
１２…  重機
１４…  噴霧部
１６…  気液供給部
１８…  回転駆動部
２０…  外側ケーシング
２２…  内側ケーシング
２４…  回転ブロック
２６…  ノズル部
３２…  整流部材
３３…  連通路
３４…  回転軸管
３５…  ワーラー
３６…  アーム
３６ａ…  径方向アーム部
３６ｂ…  軸方向アーム部
３８…  噴霧ノズル
４０…  気液混合ブロック
４２…  加圧水供給管
４４…  加圧空気供給管
４８…  気液混合室
５０…  水供給口
５２…  空気供給口
５４…  オリフィス
５６…  ボールベアリング
５８，６２…  管継ぎ手
６６…  ギア
６８…  ウォームギア
７０…  モータ
７２…  保護ケーシング
７４…  空気流路
７６…  遮蔽板
７８…  スペーサ
８４…  回転機構
８６…  羽根
８８…  ケーシング
９０…  流体供給管
【図１】
2007117951.tif 000004
【図２】
2007117951.tif 000005
【図３】
2007117951.tif 000006
【図４】
2007117951.tif 000007
【図５】
2007117951.tif 000008
【図６】
2007117951.tif 000009
【図７】
2007117951.tif 000010
【図８】
2007117951.tif 000011
【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
噴霧対象物へ向けて霧を渦状に噴霧する噴霧装置であって、
一つの回転軸を中心として同一円上を所定の回転数で回転する複数の噴霧ノズルを有する噴霧部、
加圧空気と加圧水とを混合して水を微粒化するとともに、この微粒化された水と空気との混合体を前記噴霧部の前記噴霧ノズルへ与える気液供給部、
前後両端部が開放されており、前記複数の噴霧ノズルが前方へ向いた状態で前記噴霧部を収容する円筒状の外側ケーシング、および
前記外側ケーシングの後端部に挿入されており、前記外側ケーシングとの間に環状の空気流路を構成する円筒状の内側ケーシングを備え、
前記噴霧ノズルの前記回転軸と前記外側ケーシングの軸とが一致している、噴霧装置。
【請求項２】
前記複数の噴霧ノズルの前記回転軸に対する傾斜角および噴霧角は、噴霧された霧が前記回転軸を中心とする領域において互いに混ざり合うように設定されている、請求項１記載の噴霧装置。
【請求項３】
前記内側ケーシングの前端部には、後端部から流入した空気を遮断するための遮蔽板が設けられている、請求項1または２記載の噴霧装置。
【手続補正２】
【補正対象書類名】明細書
【補正対象項目名】０００６
【補正方法】変更
【補正の内容】
【０００６】
請求項１に記載した発明は、「噴霧対象物へ向けて霧を渦状に噴霧する噴霧装置１０であって、一つの回転軸を中心として同一円上を所定の回転数で回転する複数の噴霧ノズル３８を有する噴霧部１４、加圧空気と加圧水とを混合して水を微粒化するとともに、この微粒化された水と空気との混合体を前記噴霧部１４の前記噴霧ノズル３８へ与える気液供給部１６、前後両端部が開放されており、前記複数の噴霧ノズル３８が前方へ向いた状態で前記噴霧部１４を収容する円筒状の外側ケーシング２０、および前記外側ケーシング２０の後端部に挿入されており、前記外側ケーシング２０との間に環状の空気流路７４を構成する円筒状の内側ケーシング２２を備え、前記噴霧ノズルの前記回転軸と前記外側ケーシングの軸とが一致している、噴霧装置。」である。
【手続補正３】
【補正対象書類名】明細書
【補正対象項目名】０００７
【補正方法】変更
【補正の内容】
【０００７】
モータ等によって複数の噴霧ノズル３８を同一円上で回転させると、各噴霧ノズル３８から噴霧された霧が混ざり合う領域Ｓにおいて渦流（トルネード）が発生する。したがって、この渦流領域Ｓでは、粉塵が霧中に巻き込まれることとなり、粉塵の捕捉効率が飛躍的に向上する。
また、外側ケーシング２０と内側ケーシング２２との間に空気流路７４が構成されており、この空気流路７４から外側ケーシング２０の内部に空気が取り込まれる。外側ケーシング２０の前端部では、複数の噴霧ノズル３８から噴霧されることによって負圧が生じるので、空気流路７４から外側ケーシング２０の内部に取り込まれた空気は、負圧に引かれて外側ケーシング２０の前端部から前方へ排出されることとなり、噴霧ノズル３８から噴霧された霧は、この空気によって整流されることになる。
【手続補正４】
【補正対象書類名】明細書
【補正対象項目名】００１０
【補正方法】変更
【補正の内容】
【００１０】
請求項３に記載した発明は、請求項１または２に記載した「噴霧装置１０」において、「前記内側ケーシング２２の前端部には、後端部から流入した空気を遮断するための遮蔽板７６が設けられている」ことを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】変更
【補正の内容】
【００１３】
請求項１〜３に記載した発明によれば、噴霧対象物へ向けて霧を渦状に噴霧することができるので、粉塵等を巻き込みながら効率よく捕捉できる。したがって、噴霧装置と粉塵等の発生箇所との距離を長く設定した場合でも、粉塵等の捕捉効率の低下を招くことはなく、広範囲で発生した粉塵等を効率よく捕捉できる。
また、空気流路から外側ケーシングの内部に取り込まれた空気によって噴霧ノズルから噴霧された霧を整流することができるので、霧が不所望に拡散されるのを防止できる。
【手続補正７】
【補正対象書類名】明細書
【補正対象項目名】００１４
【補正方法】削除
【補正の内容】